(57)【要約】【課題】器具施工後の廃棄物の発生を抑え、容易に組立作業ができる。【解決手段】１枚の略矩形の段ボールからなり、長手方向に沿って中央に天面１、その両側に長辺側面２および底面３が順次折曲形成され、天面１に照明器具を配置して包装される照明器具用包装装置であって、段ボールの両短辺側をコの字形に折り曲げ、天面１に連続する部分に短辺側面４を形成するとともに、この短辺側面４の両側を重ね合わせるように折り曲げることで反射板端部緩衝体５とし、この反射板端部緩衝体５の底面３方向で短辺側面４に連続する部分を折り曲げて重ね合わせ照明器具の本体１０の側縁部に係止する本体固定爪６を形成した。これにより、１枚の段ボールで形成することができ、包装に要する段ボール部品を最小にでき、包装作業時間を短縮できる。【選択図】        図１
2004189290.tif 000002
【特許請求の範囲】
【請求項１】
１枚の略矩形の段ボールからなり、長手方向に沿って中央に天面、その両側に長辺側面および底面が順次折曲形成され、前記天面に照明器具を配置して包装される照明器具用包装装置であって、前記段ボールの両短辺側をコの字形に折り曲げ、前記天面に連続する部分に短辺側面を形成するとともに、この短辺側面の両側を重ね合わせるように折り曲げることで反射板端部緩衝体とし、この反射板端部緩衝体の底面方向で前記短辺側面に連続する部分を折り曲げて重ね合わせ前記照明器具の本体の側縁部に係止する本体固定爪を形成したことを特徴とする照明器具用包装装置。
【請求項２】
本体固定爪は反射板端部緩衝体に当接して位置決めされる請求項１記載の照明器具用包装装置。
【請求項３】
反射板端部緩衝体は、短辺側面の片側の部分を筒状に折り曲げてなる請求項１または２記載の照明器具用包装装置。
【請求項４】
反射板端部緩衝体は、短辺側面の両側の部分をコの字形に折り曲げて重ね合わせ、この合わせ面を係止した請求項１または２記載の照明器具用包装装置。
【請求項５】
段ボールの波目の方向は、長辺に沿った方向または短辺に沿った方向とした請求項１，２，３または４記載の照明器具用包装装置。
【請求項６】
段ボールの表面の平滑面を内側または外側とした請求項１，２，３または４記載の照明器具用包装装置。
【発明の詳細な説明】
【０００１】
【発明の属する技術分野】
この発明は、照明器具用包装装置に関するものである。
【０００２】
【従来の技術】
従来、反射板が山形（富士型）の照明器具を包装する照明器具用包装装置では、１枚の段ボール材からなるシート状の外装と、段ボールを折り曲げてなる一対のコの字形をした外装に接着する端部緩衝材と、段ボールを折り曲げてなる山形の反射板保護材とから構成している。また、端部緩衝材の代わりに器具の周囲を位置決めする器具固定材を備えている場合もある。また、外装の代わりに段ボール材からなる箱状の個装箱と、シート状の段ボールおよび段ボールを折り曲げてなる押え板とを備えている場合もある。器具形状が同一でも、使用用途別（一般灯、非常灯）で包装装置が異なっていた。
【０００３】
また、１枚の段ボール材からなる包装装置もあった（例えば、特許文献１）。この場合、底面部の長手方向両端部に対向して端部緩衝体が立設される。端部緩衝体は、つま面部、つま面部の両側に連続形成された部分を筒状に折り曲げた器具本体端面緩衝体、つま面部の長手方向に連続形成された部分をＬ字状に折り曲げた反射板抑え、反射板抑えの下方両側に逆三角形に形成された反射板受け部等を有する。
【０００４】
【特許文献１】
特開平１１−２０８６４２号公報（段落００２７〜００３６、図３〜７）
【０００５】
【発明が解決しようとする課題】
しかしながら、前者の従来例の場合、個装箱の他に照明器具を固定および緩衝するための緩衝材を必要とし、一部、接着を必要とする場合もあった。このため、部品点数が多く、包装コストが高くなる、包装作業に時間がかかるという問題があった。また、器具施工後の包装装置を廃棄する際、多量の廃棄物が発生し、廃棄処理も面倒であるという問題があった。
【０００６】
また、特許文献１では、部品点数を削減でき、照明器具の長手方向に加わる荷重を緩衝する機能を有するが、構造が複雑で組立作業に手間がかかるという問題がある。また、器具本体は開口部を上向きに載置した状態で包装するもので、開口部を上向きに配置できない場合には対応できない。
【０００７】
したがって、この発明の目的は、器具施工後の廃棄物の発生を抑え、容易に組立作業ができ、器具本体の開口部を上向きに配置できなくても対応できる照明器具用包装装置を提供することである。
【０００８】
【課題を解決するための手段】
上記課題を解決するためにこの発明の請求項１記載の照明器具用包装装置は、１枚の略矩形の段ボールからなり、長手方向に沿って中央に天面、その両側に長辺側面および底面が順次折曲形成され、前記天面に照明器具を配置して包装される照明器具用包装装置であって、前記段ボールの両短辺側をコの字形に折り曲げ、前記天面に連続する部分に短辺側面を形成するとともに、この短辺側面の両側を重ね合わせるように折り曲げることで反射板端部緩衝体とし、この反射板端部緩衝体の底面方向で前記短辺側面に連続する部分を折り曲げて重ね合わせ前記照明器具の本体の側縁部に係止する本体固定爪を形成した。
【０００９】
このように、段ボールの両短辺側をコの字形に折り曲げ、天面に連続する部分に短辺側面を形成するとともに、この短辺側面の両側を重ね合わせるように折り曲げることで反射板端部緩衝体とし、この反射板端部緩衝体の底面方向で短辺側面に連続する部分を折り曲げて重ね合わせ照明器具の本体の側縁部に係止する本体固定爪を形成したので、１枚の段ボールで形成することができ、包装に要する段ボール部品を最小にでき、包装作業時間を短縮できる。また、段ボールの短辺側に反射板端部緩衝体および本体固定爪を折り曲げてコの字形に形成する簡単な構成なので、折曲箇所も少なく容易に組立てることができる。また、本体固定爪に照明器具の本体の側縁部を差し込み固定できるので、照明器具の開口部を上方に配置できなくても包装できる。
【００１０】
請求項２記載の照明器具用包装装置は、請求項１記載の照明器具用包装装置において、本体固定爪は反射板端部緩衝体に当接して位置決めされる。このように、本体固定爪は反射板端部緩衝体に当接して位置決めされるので、本体固定爪の垂直方向の回動が規制され、照明器具本体を確実に固定できる。
【００１１】
請求項３記載の照明器具用包装装置は、請求項１または２記載の照明器具用包装装置において、反射板端部緩衝体は、短辺側面の片側の部分を筒状に折り曲げてなる。このように、反射板端部緩衝体は、短辺側面の片側の部分を筒状に折り曲げてなるので、反射板端部緩衝体の剛性が高くなり、反射板端部の荷重を緩衝する作用が向上する。
【００１２】
請求項４記載の照明器具用包装装置は、請求項１または２記載の照明器具用包装装置において、反射板端部緩衝体は、短辺側面の両側の部分をコの字形に折り曲げて重ね合わせ、この合わせ面を係止した。このように、反射板端部緩衝体は、短辺側面の両側の部分をコの字形に折り曲げて重ね合わせ、この合わせ面を係止したので、反射板端部緩衝体を略角柱状に容易に形成することができる。
【００１３】
請求項５記載の照明器具用包装装置は、請求項１，２，３または４記載の照明器具用包装装置において、段ボールの波目の方向は、長辺に沿った方向または短辺に沿った方向とした。このように、段ボールの波目の方向は、長辺に沿った方向または短辺に沿った方向としたので、段ボールの波目と平行または直交する方向に折曲する作業でほぼ包装することができる。
【００１４】
請求項６記載の照明器具用包装装置は、請求項１，２，３または４記載の照明器具用包装装置において、段ボールの表面の平滑面を内側または外側とした。このように、段ボールの表面の平滑面を内側または外側としても、同様に包装することができる。
【００１５】
【発明の実施の形態】
この発明の実施の形態を図１ないし図６に基づいて説明する。図１はこの発明の実施の形態の照明器具用包装装置の展開図、図２はこの発明の実施の形態における包装手順を示す説明図である。
【００１６】
図１および図２に示すように、１枚の略矩形の段ボールからなり、長手方向に沿って中央に天面１、その両側に長辺側面２および底面３が順次折曲形成され、天面１に照明器具を配置して包装される。照明器具は富士型１灯用であり、側方が開口した器具本体１０、山形の反射板１１および説明書１２等を備えている。また、段ボールの両短辺側をコの字形に折り曲げ、天面１に連続する部分に短辺側面４を形成するとともに、この短辺側面４の両側を重ね合わせるように折り曲げることで反射板端部緩衝体５とし、この反射板端部緩衝体５の底面３方向で短辺側面４に連続する部分を折り曲げて重ね合わせ照明器具の本体１０の側縁部に係止する本体固定爪６を形成した。
【００１７】
この場合、天面１、長辺側面２および底面３が長手方向の折り目７ａに沿って折曲される。短辺側面４は長手方向に直交する方向の折り目７ｂに沿って折曲される。短辺側面４の両側の部分と、長辺側面２および底面３との境界は分離されている。反射板端部緩衝体５は、短辺側面４の両側の部分を折り目７ｃに沿ってコの字形に折り曲げて重ね合わせ角柱状に形成している（図３）。この合わせ面は接着またはステイプルにより係止してもよい。本体固定爪６は、長手方向に直交する方向の折り目７ｄに沿って折曲されるとともに、反射板端部緩衝体５との境界は分離されている。この反射板端部緩衝体５と分離された両側の部分を折り目７ｅに沿って折り曲げて重ね合わせている。また、重ね合わせた状態で切欠き状の爪部６ａが整合するように形成される。爪部６ａは複数形成され、その中から選択して使用することで照明器具の本体１０の形状が異なる場合に対応できる。この本体固定爪６は、反射板端部緩衝体５に当接して位置決めされる（図４）。
【００１８】
また、段ボールの波目１３の方向は、短辺に沿った方向としているが、長辺に沿った方向にしてもよい。また、段ボールの表面の平滑面を内側または外側とした。
【００１９】
次に上記照明器具用包装装置の包装手順について説明する。図３に示すように、反射板１１の中に器具本体１０を収めた状態で展開した段ボール上に載置し、反射板端部緩衝体５および本体固定爪６を上記のように折り曲げて重ね合わせる。次に、図４および図５に示すように、段ボールの一方の短辺側において、短辺側面４を曲げ起こし、本体固定爪６を反射板端部緩衝体５に対して略直角に折り曲げて、コの字形に形成する。この状態で、本体固定爪６の爪部６ａを器具本体１０の開口した側縁部に差し込むとともに、反射板１１が本体固定爪６と天面１との間に挿入されることで本体１０と反射板１１を固定する。この際、反射板１１の側端面が反射板端部緩衝体５に当接して、落下時における衝撃を緩和する。また、段ボールの他方の短辺側においても同様に折曲して、本体１０と反射板１１を固定する。次に、図６に示すように、長辺側面２および底面３を形成するフラップを折り巻き、テープ１２で封緘する（図２）。
【００２０】
以上のようにこの実施の形態によれば、１枚の段ボールで形成することができ、包装に要する段ボール部品を最小にでき、包装作業時間を短縮できる。また、段ボールの短辺側に反射板端部緩衝体５および本体固定爪６を折り曲げてコの字形に形成する簡単な構成なので、折曲箇所も少なく容易に組立てることができる。また、本体固定爪６に照明器具の本体１０の側縁部を差し込み固定できるので、照明器具の開口部を上方に配置できなくても包装できる。
【００２１】
なお、反射板端部緩衝体は、短辺側面の片側の部分を筒状に折り曲げてもよい。これにより、反射板端部緩衝体の剛性が高くなり、反射板端部の荷重を緩衝する作用が向上する。
【００２２】
図７はこの発明の別の実施の形態の照明器具用包装装置の展開図、図８はこの発明の別の実施の形態における包装手順を示す説明図である。この実施の形態では、包装する照明器具が富士型２灯用であり、上記実施の形態と比較して包装装置の各部の寸法形状が大きくなる。それ以外は上記実施の形態と略同様の構成であり、対応する部分に同一符号を付す。
【００２３】
【発明の効果】
この発明の請求項１記載の照明器具用包装装置によれば、段ボールの両短辺側をコの字形に折り曲げ、天面に連続する部分に短辺側面を形成するとともに、この短辺側面の両側を重ね合わせるように折り曲げることで反射板端部緩衝体とし、この反射板端部緩衝体の底面方向で短辺側面に連続する部分を折り曲げて重ね合わせ照明器具の本体の側縁部に係止する本体固定爪を形成したので、１枚の段ボールで形成することができ、包装に要する段ボール部品を最小にでき、包装作業時間を短縮できる。また、段ボールの短辺側に反射板端部緩衝体および本体固定爪を折り曲げてコの字形に形成する簡単な構成なので、折曲箇所も少なく容易に組立てることができる。また、本体固定爪に照明器具の本体の側縁部を差し込み固定できるので、照明器具の開口部を上方に配置できなくても包装できる。これにより、低コストで照明器具を包装でき、かつ、包装作業時間を短縮できる。さらに、照明器具施工後の廃棄処理も容易にできる。
【００２４】
請求項２では、本体固定爪は反射板端部緩衝体に当接して位置決めされるので、本体固定爪の垂直方向の回動が規制され、照明器具本体を確実に固定できる。
【００２５】
請求項３では、反射板端部緩衝体は、短辺側面の片側の部分を筒状に折り曲げてなる。このように、反射板端部緩衝体は、短辺側面の片側の部分を筒状に折り曲げてなるので、反射板端部緩衝体の剛性が高くなり、反射板端部の荷重を緩衝する作用が向上する。
【００２６】
請求項４では、反射板端部緩衝体は、短辺側面の両側の部分をコの字形に折り曲げて重ね合わせ、この合わせ面を係止したので、反射板端部緩衝体を略角柱状に容易に形成することができる。
【００２７】
請求項５では、段ボールの波目の方向は、長辺に沿った方向または短辺に沿った方向としたので、段ボールの波目と平行または直交する方向に折曲する作業でほぼ包装することができる。
【００２８】
請求項６では、段ボールの表面の平滑面を内側または外側としても、同様に包装することができる。
【図面の簡単な説明】
【図１】この発明の実施の形態の照明器具用包装装置の展開図である。
【図２】この発明の実施の形態における包装手順を示す説明図である。
【図３】この発明の実施の形態における包装手順の詳細を示す斜視図である。
【図４】図３の次の手順を示す斜視図である。
【図５】図４の次の手順を示す斜視図である。
【図６】図５の次の手順を示す斜視図である。
【図７】この発明の別の実施の形態の照明器具用包装装置の展開図である。
【図８】この発明の別の実施の形態における包装手順を示す説明図である。
【符号の説明】
１  天面
２  長辺側面
３  底面
４  短辺側面
５  反射板端部緩衝体
６  本体固定爪
１０  本体
１１  反射板
１３  波目
【図１】
2004189290.tif 000003
【図２】
2004189290.tif 000004
【図３】
2004189290.tif 000005
【図４】
2004189290.tif 000006
【図５】
2004189290.tif 000007
【図６】
2004189290.tif 000008
【図７】
2004189290.tif 000009
【図８】
2004189290.tif 000010